(57)【要約】【課題】フラッシュマイコンへの制御プログラムの書込み時、作業性が良い電磁誘導加熱用インバータを提供する。【解決手段】誘導加熱調理器の本体１内に、誘導加熱コイル７と、インバータ本体４と、冷却ファン５を備え、インバータ本体４は側面に切換窓２ａを設けたメインケース２を備え、メインケース２内にインバータ基板２０と制御基板１０を略水平に収納し、制御基板１０とインバータ基板２０の何れかに誘導加熱コイル７の制御プログラムの書換えができるフラッシュマイコンと、該フラッシュマイコンに接続される書込みコネクタ１２，１３を備えた電磁誘導加熱調理器の電磁誘導加熱用インバータにおいて、書込みコネクタ１２，１３は、メインケース２の切換窓２ａから制御プログラムの書込み端子を接続してフラッシュマイコンに制御プログラムの書込みができるように制御基板１０の部品取り付け面に略平行の向きで取り付けた。【選択図】  図３
2010277691.tif 000002
【特許請求の範囲】
【請求項１】
誘導加熱調理器の本体内に、誘導加熱コイルと、インバータ本体と、前記誘導加熱コイルと前記インバータ本体を冷却するための冷却ファンを備え、
前記インバータ本体は、略箱型に成形され側面に切換窓を設けたメインケースを備え、
該メインケース内にインバータ基板と制御基板を略水平に配置し、
該制御基板と前記インバータ基板の何れかに前記誘導加熱コイルや前記冷却ファンの制御プログラムの書換えができるフラッシュマイコンと、該フラッシュマイコンに接続される書込みコネクタを備えた、
電磁誘導加熱調理器の電磁誘導加熱用インバータにおいて、
前記書込みコネクタは、前記メインケースの切換窓から制御プログラムの書込み端子を接続して前記フラッシュマイコンに前記制御プログラムの書込みができるように前記制御基板の部品取り付け面に略平行の向きで取り付けられることを特徴とする電磁誘導加熱用インバータ。
【請求項２】
前記制御基板の部品取り付け面に、前記誘導加熱コイルや前記冷却ファンの制御プログラムの書換えができるフラッシュマイコンを別々に取り付け、
前記書込みコネクタも別々のフラッシュマイコンに対応して別々に取り付け、該書込みコネクタは前記メインケースの切換窓からマイコン書込み端子を接続できるように前記制御基板の部品取り付け面に略平行の向きで取り付けられることを特徴とする請求項１記載の電磁誘導加熱用インバータ。
【請求項３】
前記制御基板に前記誘導加熱コイルの仕様設定が可能な仕様切換えスイッチを備え、
該仕様切換えスイッチは、前記メインケースの切換窓から前記制御基板の部品取り付け面と略平行の向きで仕様切換え操作ができるように前記別々の書込みコネクタの間に配置することを特徴とする請求項２記載の電磁誘導加熱用インバータ。
【発明の詳細な説明】
【技術分野】
【０００１】
本発明は、主として業務用電磁誘導加熱調理器に組み込まれる電磁誘導加熱用インバータの改良に関するものである。
【背景技術】
【０００２】
誘導加熱コイルを熱源とする電磁誘導加熱調理器（以下誘導加熱調理器という）は、誘導加熱コイルを用いて金属製の鍋を加熱するもので、ガスを熱源とする調理器に比べて鍋を効率よく加熱することができるという特徴がある。
【０００３】
このような誘導加熱調理器においては、本体内に誘導加熱コイルと、該誘導加熱コイルを制御するためのインバータを備えており、該インバータの制御基板には加熱コイル等を制御する制御プログラムの書換えができるようにフラッシュマイコンが組み込まれている（特許文献１）。
【０００４】
フラッシュマイコンを組み込んだ誘導加熱調理器は、一般家庭用のみならず業務用厨房で使用されるものにおいても同様であり、通常の制御プログラムに加えて顧客からの特注仕様がある場合、該特注仕様に応える製作手段として、フラッシュマイコンに特注の制御プログラムを書込んで製品化される。
【０００５】
また、業務用厨房で使用される誘導加熱調理器は、定格出力が３ＫＷのものと５ＫＷのものを本体の外郭を構成する筐体を共用化して生産する場合が多く、その場合には受注状況により電磁誘導加熱用インバータの出力設定を切換えて製品化する方法が用いられている。
【０００６】
図１３は、上記した従来及び後述する本発明の業務用厨房で使用される誘導加熱調理器を示しており、本体１の上面に耐熱ガラスからなるトッププレート６を配置し、該トッププレート６の下側で本体１の上部側に誘導加熱コイル７を配置し、下部側にインバータ本体４を配置し、両者を仕切り板８で仕切り、前面に操作部９を配置し、さらに、インバータ本体４の前面側の側面に誘導加熱コイル７とインバータ本体４を冷却するための冷却ファン５を備えている。
【０００７】
そして、フラッシュマイコンを搭載したインバータ本体４は、図５から図８に示すような構成であり、インバータ本体１０４（４）を構成するメインケース１０２の底部にインバータ基板１００と制御基板１１０を並べて水平に配置し、制御基板１１０の部品取り付け面（上面）の裏面に誘導加熱コイル７や冷却ファン５の制御プログラムの書換えができるフラッシュマイコンを別々に搭載し、部品取り付け面にフラッシュマイコンに制御プログラムの書込み端子を上面から垂直に挿入して書込みを可能とする書込みコネクタ１１２（以下ＩＨ書込みコネクタと言う），１１３（以下制御書込みコネクタと言う）を取り付け、さらに、部品取り付け面に平行の向きで定格出力の仕様設定を切換えできる仕様切換えスイッチ１１１を組み込み、メインケース１０２の上面を上カバー１０３で覆っている。
【０００８】
また、仕様切換えスイッチ１１１と対応したメインケース１０２の側面に、仕様切換えスイッチ１１１を見て仕様設定が切換えできる切換窓１０２ａを設け、該切換窓１０２ａを取り外し自在の切換窓カバー１０１で覆っている。
【０００９】
そして、前記したフラッシュマイコンに制御プログラムの書換えを行う場合には、上カバー１０３を取り外し、ＩＨ書込みコネクタ１１２，制御書込みコネクタ１１３を露出させ、制御プログラムの書込み端子を上面から垂直に挿入して書込みを行い、また、仕様切換えスイッチ１１１により定格出力の仕様設定を変える場合には切換窓カバー１０１を取り外して行う。
【００１０】
１０５はメインケース１０２の前面側の側面に設けたインバータ本体１０４を冷却するための冷却ファンである。
【００１１】
なお、上記したインバータ本体１０４は、図１３に示す誘導加熱コイル７とは別体に組み込まれており、誘導加熱調理器の本体１内に組み込まれた後、誘導加熱コイル７と電気的に接続される。
【００１２】
また、図９から図１２は、誘導加熱コイル１０７（７）とインバータ本体１０４（４）を一体的に組み込んでユニット化した電磁誘導加熱用インバータを示している。
【００１３】
図において、メインケース１０２の底部にインバータ基板１００と制御基板１１０を並べて水平に配置し、制御基板１１０の部品取り付け面の裏面に誘導加熱コイル１０７や冷却ファン１０５の制御プログラムの書換えができるフラッシュマイコンを別々に搭載し、部品取り付け面にフラッシュマイコンに制御プログラムの書込み端子を上面から垂直に挿入する形で書込みを可能とする書込みコネクタ１１２（以下ＩＨ書込みコネクタと言う），１１３（以下制御書込みコネクタと言う）を取り付け、さらに、部品取り付け面に平行の向きで定格出力の仕様設定を切換えできる仕様切換えスイッチ１１１を組み込み、メインケース１０２の上面に誘導加熱コイル１０７を備えたコイル部組み１０８を配置している。
【００１４】
また、制御基板１１０には、部品取り付け面に平行の向きで定格出力の仕様設定を切換えできる仕様切換えスイッチ１１１を組み込み、該仕様切換えスイッチ１１１と対応したメインケース１０２の側面には、仕様切換えスイッチ１１１を見て仕様設定が可能な切換窓１０２ａを設け、該切換窓１０２ａを取り外し自在の切換窓カバー１０１で覆っている。
【００１５】
コイル部組み１０８と制御基板１１０とは、センサーリード線１０９により電気的に接続されている。
【００１６】
そして、フラッシュマイコンに制御プログラムの書換えを行う場合には、コイル部組み１０８と制御基板１１０とを繋ぐセンサーリード線１０９を外し、コイル部組１０８をメインケース１０２から外し、ＩＨ書込みコネクタ１１２，制御書込みコネクタ１１３を露出させて制御プログラムの書込み端子を上面から垂直に挿入して書込みを行い、また、仕様切換えスイッチ１１１により定格出力の仕様設定を変える場合には切換窓１０２ａを取り外して行う。
【００１７】
１０５はメインケース１０２の前面側の側面に設けたインバータ本体１０４を冷却するための冷却ファンである。
【先行技術文献】
【特許文献】
【００１８】
【特許文献１】特開２００８−２０６６７３号公報
【発明の概要】
【発明が解決しようとする課題】
【００１９】
上記した従来の構成において、図５〜図１２に示すものは、次のような問題点がある。
【００２０】
フラッシュマイコンに制御プログラムの書換えを行うためにＩＨ書込みコネクタ１１２と制御書込みコネクタ１１３にマイコン書込み端子を接続する場合、メインケース１０２の上カバー１０３を外さなければならず、その分作業量が多くなる問題があり、また、上カバー１０３の上部に隙間がなく、該上カバー１０３を取り外すことができない狭い場合には容易に作業ができない問題がある。
【００２１】
また、同じくフラッシュマイコンに制御プログラムの書換えを行う場合に、インバータ本体１０４と誘導加熱コイル１０７（７）を備えたコイル部組み１０８を一体型にしてユニット化した電磁誘導加熱用インバータでは、コイル部組み１０８とセンサーリード線１０９を外さなければならないため、その分作業量が多くなる問題がある。
【００２２】
また、誘導加熱コイル１０７を備えたコイル部組み１０８を持ち上げるため、誘導加熱コイル１０７のセンサーリード線１０９にストレスが掛る問題や、センサーリード線１０９を外してソフトウェア書込み作業を終了した後、センサーリード線１０９を挿し忘れる問題がある。
【００２３】
さらに、フラッシュマイコンに制御プログラムの書換え作業を行う際に、安易に制御基板１１０に触れてしまうため、該制御基板１１０が静電気で故障を招く恐れがある。
【００２４】
また、切換窓１０２ａを定格出力の仕様切換えスイッチ１１１の操作性に合わせて設計しているため、仕様切換えスイッチ１１１の大きさに対して切換窓１０２ａの大きさにゆとりが少なく、設定操作要領が限定される問題がある。
【００２５】
本発明は上記の問題に鑑み、故障し難く、作業性の良い電磁誘導加熱用インバータを提供するものである。
【課題を解決するための手段】
【００２６】
請求項１では、誘導加熱調理器の本体内に、誘導加熱コイルと、インバータ本体と、前記誘導加熱コイルと前記インバータ本体を冷却するための冷却ファンを備え、前記インバータ本体は、略箱型に成形され側面に切換窓を設けたメインケースを備え、該メインケース内にインバータ基板と制御基板を略水平に配置し、該制御基板と前記インバータ基板の何れかに前記誘導加熱コイルや前記冷却ファンの制御プログラムの書換えができるフラッシュマイコンと、該フラッシュマイコンに接続される書込みコネクタを備えた電磁誘導加熱調理器の電磁誘導加熱用インバータにおいて、前記書込みコネクタは、前記メインケースの切換窓から制御プログラムの書込み端子を接続して前記フラッシュマイコンに前記制御プログラムの書込みができるように前記制御基板の部品取り付け面に略平行の向きに取り付けるものである。
【００２７】
請求項２では、前記制御基板の部品取り付け面に、前記誘導加熱コイルや前記冷却ファンの制御プログラムの書換えができるフラッシュマイコンを別々に取り付け、前記書込みコネクタも別々のフラッシュマイコンに対応して別々に取り付け、該書込みコネクタは前記メインケースの切換窓からマイコン書込み端子を接続できるように前記制御基板の部品取り付け面に略平行の向きに取り付けるものである。
【００２８】
請求項３では、前記制御基板に前記誘導加熱コイルの仕様設定が可能な仕様切換えスイッチを備え、該仕様切換えスイッチは、前記メインケースの切換窓から前記制御基板の部品取り付け面と略平行の向きで仕様切換え操作ができるように前記別々の書込みコネクタの間に配置するものである。
【発明の効果】
【００２９】
本発明によれば、フラッシュマイコンに制御プログラムの書換えを行うために、書込みコネクタにマイコン書込み端子を接続する場合、メインケースの外からマイコン書込み端子を接続して書込みができるため、作業量が少なくなり、作業も容易である。
【００３０】
また、定格出力の仕様切換えスイッチの仕様設定操作もメインケースの外から設定できるため、作業量が少なくなり、作業も容易である。
【００３１】
また、書込みコネクタが２個ある場合、２個の書込みコネクタの間に仕様切換えスイッチを配置するので、フラッシュマイコンのソフトウェア書込み時や仕様切換え時において、上カバーを取り外す必要がなく、切換窓カバーを外すだけの少ない手間で作業ができる。
【００３２】
また、誘導加熱コイルとインバータ本体を一体化して電磁調理器組み込み用ユニットにした場合においても、誘導加熱コイルを備えたコイル部組とセンサーリード線を外すことなく、切換窓カバーを外すだけの少ない手間で作業ができ、さらに、加熱コイルを備えたコイル部組みを持ち上げることがないため、加熱コイルのリード線にはストレスがかからず、故障し難く、また、センサーリード線を外さないため、ソフトウェア書込み作業終了後、センサーリード線の挿し忘れ不良がなくなる。
【００３３】
さらに、フラッシュマイコンに制御プログラムの書換えを行う場合に、制御基板に触れずに作業ができるため、制御基板を静電気で故障させる危険性がなくなる。
【００３４】
また、切換窓は、書込みコネクタと仕様切換えスイッチの操作性に合わせた形状で設計できるので、仕様切換えスイッチの大きさに対して、切換窓の大きさにゆとりを持たせることができ、設定操作が容易にできる。
【図面の簡単な説明】
【００３５】
【図１】本発明の一実施例を示す電磁誘導加熱用インバータの概略斜視図である。
【図２】同電磁誘導加熱用インバータの上カバーを取り除いた状態の概略平面図である。
【図３】（ａ）は、同電磁誘導加熱用インバータの切換窓部側から見た切換窓を取り外した状態の概略側面図、（ｂ）は（ａ）のイ−イ断面図である。
【図４】同電磁誘導加熱用インバータの切換窓部側から見た切換窓カバーを取り付けた状態の概略側面図である。
【図５】従来の電磁誘導加熱用インバータの概略斜視図である。
【図６】同電磁誘導加熱用インバータの上カバーを取り除いた状態の概略平面図である。
【図７】同電磁誘導加熱用インバータの切換窓部側から見た切換窓カバーを取り外した状態の概略側面図である。
【図８】同電磁誘導加熱用インバータの切換窓部側から見た切換窓カバーを取り付けた状態の概略側面図である。
【図９】従来の他の例の電磁誘導加熱用インバータの概略斜視図である。
【図１０】同電磁誘導加熱用インバータの上カバーを取り除いた状態の概略平面図である。
【図１１】同電磁誘導加熱用インバータの切換窓部側から見た切換窓カバーを取り外した状態の概略側面図である。
【図１２】同電磁誘導加熱用インバータの切換窓部側から見た切換窓カバーを取り付けた状態の概略側面図である。
【図１３】本発明及び従来例の業務用電磁調理器の簡略構成図である。
【発明を実施するための形態】
【００３６】
以下、本発明の一実施例について、図１，図２，図３，図４，図１３を用いて説明する。
【００３７】
図１３は、業務用厨房で使用される誘導加熱調理器を示しており、従来技術でも説明したように、誘導加熱調理器の本体１の上面に耐熱ガラスからなるトッププレート６を配置し、該トッププレート６の下側で本体１の上部側に誘導加熱コイル７を配置し、下部側にインバータ本体４を配置し、両者を仕切り板８で上下に仕切り、さらに、インバータ本体４の前面側の側面に誘導加熱コイル７とインバータ本体４を冷却するための冷却ファン５を備えている。９は本体１の前面に配置した操作部である。
【００３８】
次に、図１から図４において、インバータ本体４は箱型に成形され、上面が開口したメインケース２の底部にインバータ基板２０と制御基板１０が水平に並べて配置され、メインケース２の上面開口部は上カバー３によって塞がれており、前面側の側面に誘導加熱コイル７とインバータ本体４を冷却するための冷却ファン５を備えている。
【００３９】
制御基板１０の裏面には、制御プログラムの書換えを行うことができるフラッシュマイコン（図示せず）を搭載している。該フラッシュマイコンは、誘導加熱コイル７の出力や被加熱物である鍋の有無等を制御するフラッシュマイコンと、冷却ファン５の動作を制御したり温度センサー（図示せず）からの信号を入力して加熱コイル７を制御するフラッシュマイコンを別々に２個搭載している。但し、このフラッシュマイコンは、２個に限定されるものではなく、また、制御基板１０のみに搭載されるものではなく、インバータ基板２０側の裏面にフラッシュマイコンを備えることもできる。
【００４０】
また、制御基板１０の上面、すなわち部品取り付け面には、誘導加熱コイル７の出力や被加熱物である鍋の有無等を制御するフラッシュマイコンの制御プログラムを書換えすることができる書込みコネクタ（ＩＨ書込みコネクタ）１２と、冷却ファン５の動作を制御したり温度センサー（図示せず）からの信号を入力して加熱コイル７を制御するフラッシュマイコンの制御プログラムを書換えすることができる書込みコネクタ（制御書込みコネクタ）１３及びＩＨ書込みコネクタ１２と接続される中継コネクタ１４，中継線１５が電気的に接続される（制御書込みコネクタ１３にも電気的に接続してもよい。）ように組み込まれ、さらに、中継線１５はインバータ基板２０の中継コネクタ２１を介してフラッシュマイコンに書込み可能に接続されている。
【００４１】
また、ＩＨ書込みコネクタ１２，制御書込みコネクタ１３は、制御基板１０の部品取り付け面に、該部品取り付け面と平行の向きで制御プログラムの書込み端子（図示せず）を挿入できるように取り付けられ、さらに前記部品取り付け面に平行の向きで定格出力の仕様設定を切換えできる仕様切換えスイッチ１１が組み込まれている。
【００４２】
ＩＨ書込みコネクタ１２及び制御書込みコネクタ１３の差込口は、図３（ｂ）に示すように制御基板１０上でメインケース２の側面に設けた切換窓２ａに臨む位置に配置されている。
【００４３】
そして、ＩＨ書込みコネクタ１２と制御書込みコネクタ１３には、メインケース２の外側から制御プログラムを書込むロムライターの端子（図示せず）が接続可能であり、これによってフラッシュマイコンに制御プログラムの書込みができる。
【００４４】
仕様切換えスイッチ１１は、例えば４個のスイッチが一体となり、該スイッチのＯＮ，ＯＦＦの組み合わせにより、例えば定格出力が３ＫＷと５ＫＷの仕様設定が可能な仕様切換えスイッチ１１を備えている。そして、該切換えスイッチ１１は、ＩＨ書込みコネクタ１２，制御書込みコネクタ１３の差込口の間に配置されて切換窓２ａに臨んでいる。切換窓２ａは切換窓カバー２１によって塞がれている。
【００４５】
本実施例は以上の構成よりなり、次にフラッシュマイコンへの書込み動作について説明する。
【００４６】
誘導加熱コイル７の出力や被加熱物である鍋の有無等を制御するフラッシュマイコンや冷却ファン５の動作を制御したり温度センサー（図示せず）からの信号を入力して加熱コイル７を制御するフラッシュマイコンに制御プログラムの書換えを行う場合、まず、メインケース２の切換窓カバー２１を取り外して切換窓２ａを露出させる。
【００４７】
次に、切換窓２ａの外からＩＨ書込みコネクタ１２及び制御書込みコネクタ１３にマイコン書込み端子を接続し、制御プログラム書込み器（パソコン）から制御プムログラムを入力する。該制御プログラムはＩＨ書込みコネクタ１２及び制御書込みコネクタ１３，中継コネクタ１４，中継線１５を通して中継コネクタ２１に接続され、フラッシュマイコンに書込まれる。
【００４８】
フラッシュマイコンへの書込みが終了した場合には、ＩＨ書込みコネクタ１２及び制御書込みコネクタ１３からマイコン書込み端子を外し、切換窓２ａに切換窓カバー２１を取り付ける。
【００４９】
一方、業務用厨房で使用される誘導加熱調理器において、例えば定格出力が３ＫＷと５ＫＷで、本体３０１の外郭を構成する筐体を共用化して生産する場合には、インバータ本体４の出力設定を切換える必要がある。
【００５０】
その場合にも、メインケース２の切換窓カバー２１を取り外して切換窓２ａを露出させ、切換窓２ａの外から切換えスイッチ１１を見て仕様を設定し、設定作業が終わったら切換窓２ａを切換窓カバー２１で塞げばよい。
【００５１】
なお、上記実施例においては、インバータ本体４が誘導加熱コイル７とは別体に組み込まれ、誘導加熱調理器の本体１内に組み込まれた後、誘導加熱コイル７と電気的に接続される構造のものであるが、誘導加熱コイル７とインバータ本体４を予め一体的に組み込んでユニット化した電磁誘導加熱用インバータにおいても上記と同様の構成を実施できる。
【００５２】
以上の説明から明らかなように、本実施例によれば、フラッシュマイコンに制御プログラムの書換えを行うために、書込みコネクタ１２（１３）にマイコン書込み端子を接続する場合、メインケース２の外からマイコン書込み端子を接続して書込みができるため、作業量が少なくなり、作業も容易である。
【００５３】
また、定格出力を切換える仕様切換えスイッチ１１の仕様設定操作もメインケース２の外から設定できるため、作業量が少なくなり、作業も容易である。
【００５４】
また、書込みコネクタが２個ある場合には、書込みコネクタ１２，１３の間に仕様切換えスイッチ１１を配置するので、フラッシュマイコンのソフトウェア書込み時や仕様切換え時において、インバータ本体４の上カバー３を取り外す必要がなく、切換窓カバー２１を外すだけの少ない手間で作業ができる。
【００５５】
また、電磁調理器組み込み用ユニットにした場合においても、図９に示す誘導加熱コイル１０７を備えたコイル部組１０８とセンサーリード線１０９を外すことなく、図１に示す切換窓カバー２１を外すだけの少ない手間で作業ができ、さらに、図９に示す加熱コイル１０７を備えたコイル部組１０８を持ち上げることがないため、加熱コイル１０７のセンサーリード線１０９にはストレスがかからず、故障し難く、また、センサーリード線１０９を外さないため、制御プログラム書込み作業終了後、センサーリード線１０９の挿し忘れ不良がなくなる。
【００５６】
さらに、フラッシュマイコンに制御プログラムの書換えを行う場合に、制御基板１０に触れずに作業ができるため、制御基板１０を静電気で故障させる危険性が無くなる。
【００５７】
また、切換窓２ａは、書込みコネクタ１２（１３）と仕様切換えスイッチ１１の操作性に合わせた形状で設計できるので、仕様切換えスイッチ１１の大きさに対して、切換窓２ａの大きさにゆとりを持たせることができ、設定操作が容易にできる。
【符号の説明】
【００５８】
１  本体
２  メインケース
２ａ  切換窓
３  上カバー
４  インバータ本体
５  冷却ファン
１０  制御基板
１１  仕様切換えスイッチ
１２  ＩＨ書込みコネクタ
１３  制御書込みコネクタ
１４  中継コネクタ
１５  中継線
【図１】
2010277691.tif 000003
【図２】
2010277691.tif 000004
【図３】
2010277691.tif 000005
【図４】
2010277691.tif 000006
【図５】
2010277691.tif 000007
【図６】
2010277691.tif 000008
【図７】
2010277691.tif 000009
【図８】
2010277691.tif 000010
【図９】
2010277691.tif 000011
【図１０】
2010277691.tif 000012
【図１１】
2010277691.tif 000013
【図１２】
2010277691.tif 000014
【図１３】
2010277691.tif 000015